(57)【特許請求の範囲】
【請求項１】
電話網にあって電話帳による接続サービスを提供するサーバにおける携帯電話機の電話帳の一元管理方法において、前記サーバは、携帯電話機の電話番号とユーザＩＤを対応させて保持するデータベースとユーザ対応に接続相手の前記ユーザＩＤを保持する前記電話帳を備え、ユーザから端末を介して接続サービス要求を受けると、前記ユーザ対応の前記電話帳を前記端末に送付し、前記電話帳に基づき前記端末から指定された前記ユーザＩＤ対応の前記携帯電話機の電話番号を前記データベースから取り出し、取り出された前記携帯電話機の電話番号により前記携帯電話機に接続し、前記ユーザが前記電話帳に接続相手の前記ユーザＩＤを登録する場合、前記ユーザと接続相手のユーザとが互いの前記端末を介して送ってきた使い捨てパスワードを照合して、一致した場合に互いの前記電話帳に相手の前記ユーザＩＤの登録を行うことを特徴とする携帯電話機の電話帳の一元管理方法。
【請求項２】
前記端末が携帯電話機であることを特徴とする請求項１記載の携帯電話機の電話帳の一元管理方法。
【請求項３】
前記端末が固定電話機であることを特徴とする請求項１記載の携帯電話機の電話帳の一元管理方法。
【請求項４】
前記端末が公衆電話機であることを特徴とする請求項１記載の携帯電話機の電話帳の一元管理方法。
【請求項５】
前記使い捨てパスワードは、前記ユーザと接続相手の前記ユーザとが各自の前記電話帳に相手の前記ユーザＩＤを登録する前に、互いに一つに取り決めているものとすることを特徴とする請求項１記載の携帯電話機の電話帳の一元管理方法。
【発明の詳細な説明】
【０００１】
【発明の属する技術分野】
本発明は携帯電話機の電話帳の管理方法に関し、特に電話網にあって電話帳による接続サービスを提供するサーバにおける携帯電話機の電話帳の一元管理方法に関する。
【０００２】
【従来の技術】
現在、我が国では便利さと有用性から携帯電話が世代を問わず爆発的に普及しており、個人一人が一台以上所有することも珍しくない。そして、この傾向は国際的なものになっており、今後経済のグローバル化に伴いますます増加に拍車がかかることは間違いない。
【０００３】
この携帯電話の非常に便利な機能の一つとして電話帳機能があり、多数の通話相手の電話番号をいちいち覚えておく必要がなく、名前や絵文字から容易に電話できるようになっている。この電話帳は、一般的には手入力で作成しているが、人によっては膨大な量になるため、特開平４ー９８９５５公報に見られるように、センターの電話番号データベースを利用して発信する方法も発案されている。
【０００４】
一方、電話番号を用いた犯罪が増えており、電話帳の電話番号の秘匿性の要求が強まっている。
【０００５】
【発明が解決しようとする課題】
上述したように、携帯電話の電話帳の利便性は大きいものの、以下のような問題がある。
【０００６】
（１）携帯電話番号は、日本では現在でも１１桁であるが、今後、端末の増加に伴いさらに桁数が増える可能性があり、登録が面倒であるとともに、一時的な記憶や、口頭でのやり取りが一層困難になり、かつ間違いを生じる可能性も大きくなる。
【０００７】
（２）盗難やのぞきにより、電話番号を第三者に容易に知られてしまう。
【０００８】
（３）携帯電話の機能の進化が激しい時代にあわせて携帯端末を新しいものに変えていくことも珍しいことではないが、それに伴い電話番号が変わってしまい、相手への連絡が必要になる。
【０００９】
（４）一つの端末で登録した電話帳は他の電話端末や公衆電話からではで使用することができない。
【００１０】
本発明の目的は、以上の問題点を解決できる携帯電話端末の電話帳の一元管理方法を提供することにある。
【００１１】
【課題を解決するための手段】
本願の第１の発明は、電話網にあって電話帳による接続サービスを提供するサーバにおける携帯電話機の電話帳の一元管理方法において、前記サーバは携帯電話機の電話番号とユーザＩＤを対応させて保持するデータベースとユーザ対応に接続相手の前記ユーザＩＤを保持する前記電話帳を備え、ユーザから端末を介して接続サービス要求を受けると、前記ユーザ対応の前記電話帳を前記端末に送付し、前記電話帳に基づき前記端末から指定された前記ユーザＩＤ対応の前記携帯電話機の電話番号を前記データベースから取り出し、取り出された前記携帯電話機の電話番号により前記携帯電話機に接続し、前記ユーザが前記電話帳に接続相手の前記ユーザＩＤを登録する場合、前記ユーザと接続相手のユーザとが互いの前記端末を介して送ってきた使い捨てパスワードを照合して、一致した場合に互いの前記電話帳に相手の前記ユーザＩＤの登録を行うことを特徴とする。
【００１２】
本願の第２の発明は、第１の発明の前記端末が携帯電話機であることを特徴とする。
【００１３】
本願の第３の発明は、第１の発明の前記端末が固定電話機であることを特徴とする。
【００１４】
本願の第４の発明は、第１の発明の前記端末が公衆電話機であることを特徴とする。
【００１６】
本願の第５の発明は、第１の発明の前記使い捨てパスワードは、前記ユーザと接続相手の前記ユーザとが各自の前記電話帳に相手の前記ユーザＩＤを登録する前に、互いに一つに取り決めているものとすることを特徴とする。
【００１７】
「作用」
ユーザ毎に管理した電話帳をデータベースサーバに設けて、電話帳を一元的に管理を行う。各ユーザの電話帳には携帯電話の電話番号を登録せず、ユーザＩＤを登録し、サーバにおいてユーザＩＤと電話番号を結び付ける管理を行う。さらに互いのユーザＩＤの登録には使い捨てパスワード（Ｏｎｅ  Ｔｉｍｅ  Ｐａｓｓｗｏｒｄ）を用いることで、第三者へ勝手に登録されてしまうということを回避する。これにより電話番号が分からなくても、お互いに電話をかけることができる。また、このユーザＩＤと個人情報を結び付けることで、名前などの登録をしなくてもよくなる。さらに、データベースに接続できる端末からならば、どこからでも接続できる。
【００１８】
【発明の実施の形態】
次に、本発明の実施の形態について図面を参照して詳細に説明する。
【００１９】
図１は本発明の一実施の形態を示す動作説明図である。
【００２０】
図１から分かるように、本発明の一実施の形態は、電話網にあって各ユーザの電話帳管理のためのデータベースを備えたデータベースサーバ１およびサーバ１に接続することができる携帯電話２及び携帯電話３からなる。尚、携帯電話の端末数はこれに限られるものではない。
【００２１】
次に、本発明の実施の形態の動作について図面を参照して説明する。
【００２２】
まず、前もって自分の携帯電話の電話番号と個人情報をデータベースサーバ１へ登録要求すると、各ユーザのＩＤの交付を受ける。データベースサーバ１では、携帯電話の電話番号、個人情報と交付したユーザのＩＤとを対にして登録する。登録要求は、携帯電話から行っても良いし、他の端末から行っても良い。又直接事務所に出向いて、手続きしても良い。本人の認証が得られ、必要な手続きが行えれば、ユーザのＩＤの交付が受けられる。
【００２３】
このユーザＩＤの交付を受けたユーザＡは、携帯仲間のユーザＢ、ユーザＣ、ユーザＤ…に自分のユーザＩＤを通知すると、通知された各ユーザＢ、ユーザＣ、ユーザＤ…は、データベースサーバ１における各個人の電話帳へ通知されたユーザＩＤを登録する。尚、個人の電話帳へのアクセスは、セキュリティの観点から、パスワードを必要とすることはいうまでもない。
【００２４】
次に実際に電話をかける時には（図２を参照）、電話をかけるユーザはデータベースサーバ１に接続を行い（ステップ１）、個人の電話帳データベースから相手のユーザＩＤを選択し（ステップ２）、データベースサーバ１に返信する（ステップ３）。すると、データベースサーバ１において相手のユーザＩＤで登録されている電話番号を検索し、検索した結果の電話番号を交換機（交換機は図示していないが、データベースサーバ１と一体であってもよく、別なノードであっても良い）へ送信する（ステップ４）。その後、交換機では電話を相手に対してかけて（ステップ５）、つながった場合、互いを接続する（ステップ６）。
【００２５】
このようにして、相手の電話番号に電話をかけることができる。
【００２６】
また、この電話帳へは携帯電話端末からしか接続できないわけではない。必要であれば携帯電話以外でも、パスワードさえ入力すれば、固定電話、また公衆電話からでもデータベースに接続し、電話帳を利用することができる。
【００２７】
さらに、上述した実施の形態では、携帯電話の電話番号をデータベースサーバ１へ登録するようにしているが、これを固定電話機の電話番号に拡張しても良い。
【００２８】
このような構成にすることにより、図３からも分かるように、ユーザＢが携帯電話３を新しい携帯電話４に変えたとしても、データベースサーバ１へ登録してある携帯電話３の電話番号を新しい携帯電話４の電話番号に変更しさえすれば、ユーザＡはユーザＢが携帯電話３を新しい携帯電話４に変えたことを知らなくても、今までと同様にユーザＢに電話をかけることができる。
【００２９】
上述した実施の形態では、ユーザＡは、携帯仲間のユーザＢ、ユーザＣ、ユーザＤ…に自分のユーザＩＤを通知すると、通知された各ユーザＢ、ユーザＣ、ユーザＤ…は、各個人のデータベースへ自由に通知されたユーザＩＤを登録すればよかったが、この方法であれば、パスワードを盗聴したものが、ユーザＢ、ユーザＣ、ユーザＤ…になりすまして、ユーザＡのユーザＩＤを知ることが出来、その結果を、自分の電話帳に登録することが出来る。
【００３０】
これを防止する方法を、図４、図５に示す。
【００３１】
ユーザＩＤの交付を受けたユーザＡ、ユーザＢが互いの電話帳に連絡先を登録して、電話をかけるようにしたい時、二人のユーザはお互いのユーザＩＤを教えて、互いに登録する際に使用する使い捨てパスワード（ワン・タイム・パスワード）を決める。
【００３２】
そこで、互いのユーザはデータベースサーバ１に接続を行い（各個人のデータベースへの接続のためのパスワード必須）、相手のユーザＩＤと使い捨てパスワードを入力して送信する（ステップ１）。データベースサーバ１では二人から送られてきた使い捨てパスワードを照合して（ステップ２）、一致した場合に互いの個人電話帳データベースに相手のユーザＩＤの登録を行う（ステップ３）。ここでの登録ではユーザＩＤだけではなく、相手の名前、などの個人情報も相手の開示条件により、登録することが出来る。最後に、サーバから、互いのユーザに登録完了メッセージが送られる（ステップ４）。
【００３３】
【発明の効果】
以上説明したように、本発明により、自分の電話番号を相手に教えなくても、ユーザＩＤにより、相互に電話することが出来、まったく知らない第三者に自分の電話番号が知られる心配がない。また、お互いが相手の電話番号を意識しなくてよいので、電話番号が今後長い桁数になったとしても電話帳への登録に手間取らない。また使い捨てパスワードを利用することで、まったく知らない第三者の電話帳へユーザＩＤが勝手に登録できることを防ぐことができる。さらに、自分が連絡先を変えてしまったとしても、データベースサーバの電話番号を新しい電話番号に変更するだけで、相手は電話番号が変わったことを意識する必要がない、等の効果がある。
【図面の簡単な説明】
【図１】本発明の一実施の形態を示す動作説明図である。
【図２】図１の動作を示すフローチャートである。
【図３】本発明の他の動作説明図である。
【図４】本発明の他の動作説明図である。
【図５】図５の動作を示すフローチャートである。
【符号の説明】
１    データベースサーバ
２    携帯電話
３    携帯電話
【図１】
0003683193.tif 000002
【図２】
0003683193.tif 000003
【図３】
0003683193.tif 000004
【図４】
0003683193.tif 000005
【図５】
0003683193.tif 000006